(57)【要約】【課題】  本発明は通信ネットワークを介して調理情報などを家庭内の加熱調理器に供給するため、安全性の高い実用に優れたネットワーク調理システムおよび加熱調理器を供給すること。【解決手段】  情報管理装置１と、通信ネットワーク２と、ホームネットワーク端末３と、ネットワーク通信手段７と、端末側表示手段８と、端末側無線通信手段９と、無線通信４と、加熱調理器５と、機器側無線通信手段１０と、機器側表示手段１１と、加熱情報判定手段１３と安全回路制御手段１４を備え、情報管理装置から通信ネットワークを介して供給される調理情報をホームネットワーク端末上で閲覧でき、必要に応じて無線通信で加熱調理器に調理情報を転送でき、ラッチ回路解除後に、加熱調理器を開始する構成とする。【選択図】  図１
2005037068.tif 000002
【特許請求の範囲】
【請求項１】
通信ネットワークを介して情報を送受信する情報管理装置と、家庭内でデータを送受信するホームネットワーク端末と、無線通信にて前記ホームネットワーク端末から情報を送受信する加熱調理器とを備えて、前記ホームネットワーク端末は、前記情報管理装置と前記通信ネットワークを介して通信するためのネットワーク通信手段と、調理の情報などを表示する端末側表示手段と、前記加熱調理器と情報を送受信する端末側無線通信手段を有し、前記加熱調理器は、前記ホームネットワーク端末と無線通信にて情報を送受信するための機器側無線通信手段と、無線通信で供給された調理情報を表示する機器側表示手段と、加熱動作開始が可能な状態かを判断する安全回路制御手段とを備えたネットワーク調理システム。
【請求項２】
ホームネットワーク端末は、情報管理装置から通信ネットワークを介して供給される調理レシピを端末側表示手段にて表示し、前記調理レシピは、加熱調理器を制御する加熱条件（加熱モード、時間、温度等）からなる加熱制御情報と、材料、分量、手順、ワンポイントアドバイス等の非加熱制御情報から構成されており、利用者が調理レシピの転送を選択した場合、無線通信にて前記ホームネットワーク端末内の端末側無線通信手段から加熱制御情報を送信し、加熱調理器内の機器側無線通信手段は加熱制御情報を受信した際、加熱調理器で設定された加熱制御情報なのか無線通信で受信した加熱制御情報なのかを判別する加熱情報判定手段を有し、機器側表示手段に表示する機能を有することを特徴とした請求項１記載のネットワーク調理システム。
【請求項３】
ホームネットワーク端末は、情報管理装置から通信ネットワークを介して供給される調理レシピを端末側表示手段にて表示し、前記調理レシピは、加熱調理器を制御する加熱条件（加熱モード、時間、温度等）からなる加熱制御情報と、材料、分量、手順、ワンポイントアドバイス等の非加熱制御情報から構成されており、利用者が調理レシピの転送を選択した場合、無線通信にて前記ホームネットワーク端末内の端末側無線通信手段から加熱制御情報を送信し、加熱調理器内の機器側無線通信手段は加熱制御情報を受信した際、加熱調理器で設定された加熱制御情報なのか無線通信で受信した加熱制御情報なのかを判別する加熱情報判定手段を有し、機器側報知手段にて報知する機能を有することを特徴とした請求項１記載のネットワーク調理システム。
【請求項４】
ホームネットワーク端末は、調理レシピの加熱制御情報を無線通信にて加熱調理器へ送信し、無線通信で受信した加熱制御情報であることを機器側表示手段に表示する際、加熱動作開始が可能な状態かを判断する安全回路制御手段によって判断された状態によって、機器側表示手段の表示内容を変更する機能を有することを特徴とした請求項１または２記載のネットワーク調理システム。
【請求項５】
ホームネットワーク端末は、調理レシピの加熱制御情報を無線通信にて加熱調理器へ送信し、無線通信で受信した加熱制御情報であることを機器側表示手段に表示する際、加熱動作開始が可能な状態かを判断する安全回路制御手段によって判断された状態によって、機器側報知手段の報知内容を変更する機能を有することを特徴とした請求項１または３記載のネットワーク調理システム。
【請求項６】
請求項１から５のいずれか１項に記載のネットワーク調理システムを用いた調理加熱装置。
【発明の詳細な説明】
【技術分野】
【０００１】
本発明は、通信ネットワークを介して調理情報などを家庭内の加熱調理器に供給するネットワーク調理システムおよびそれを用いた調理加熱装置に関するものである。
【背景技術】
【０００２】
従来、この種のネットワーク調理システムおよびそれを用いた調理加熱装置は、通信ネットワークを介して電子レンジ用の調理情報や調理レシピを家庭内の電子レンジに供給するシステムが提案されている（例えば特許文献１および特許文献２参照）。
【０００３】
これらのシステムはパーソナルコンピュータまたはＰＤＡ(personal digital assistant)を介して電子レンジにデータを供給することを前提にしている。
【０００４】
また、パーソナルコンピュータやＰＤＡを経由せず、インターフェース部のみを経由して、調理情報を取得しているものもある（例えば特許文献３参照）。
【０００５】
さらに、直接通信ネットワークを介して調理情報を受信する機能を備えた電子レンジも提案されている（例えば、特許文献４または特許文献５参照）。
【特許文献１】特開２０００−３４６３６６号公報
【特許文献２】特開２０００−３４６３６７号公報
【特許文献３】特開２００３−１３２２０５号公報
【特許文献４】特開２００１−７４２４７号公報
【特許文献５】特開２００３−１２０９３７号公報
【発明の開示】
【発明が解決しようとする課題】
【０００６】
しかしながら、前記従来の構成では、いずれの場合も、電子レンジの表示部にて、取得した調理情報や調理レシピを閲覧することを前提としているため、限られた表示面積の中に調理レシピ等をすべて表示するためには、表示部としてドットタイプやカラー対応タイプなど、高価な表示部を搭載する必要がある。もちろん限られた表示面積内で情報を表示することも可能だが、使用者は混乱をしてしまう可能性があり、必要な時に必要な情報を見ることができるものが最善と思われる。
【０００７】
また、ＩＨクッキングヒータや炊飯器等他の調理器とのネットワーク調理システムを考慮すれば、表示部は従来同様タイプを使用するほうが、システムとしては、安価になる。
【０００８】
また、調理レシピ等を表示させるには、１メニューあたり１００Ｋバイトから５００Ｋバイト、場合によっては、１Ｍバイトの容量が必要になり、従来使用のマイクロコンピュータの持つ１Ｋバイト、２Ｋバイトの容量とは格段に差があり、取得したデータを格納するメモリは、容量の大きなものを搭載する必要があり、最低限、通信ネットワークとの通信機能も必要なため、システムとしては、さらに高価なものになってしまうという課題を有していた。
【０００９】
また、電子レンジの表示部で調理レシピを閲覧する場合、調理の加熱を行う場合には調理レシピは見ることができないため、続けて次の調理の下ごしらえを行うことができない。パーソナルコンピュータやＰＤＡで閲覧する場合は問題ないが、誰でも容易に扱えることができないなど、操作性を低下させるという課題を有していた。
【００１０】
さらに、無線通信の場合、離れた部屋からでも調理情報を転送可能なため、加熱調理器の状態を判断できないことも想定できる。そのため、不用意に転送して、調理物が入ってないまま、調理開始しないように安全性に配慮する必要がある。
【００１１】
また、他の利用者が先に加熱調理器を設定している場合も想定でき、無線通信で設定されたデータなのか、加熱調理器で直接設定されたデータなのかを区別する必要性もある。
【００１２】
本発明は、前記従来の課題を解決するもので、安価な構成で、容易に通信ネットワークを介して調理情報を利用できる安全性の高いネットワーク調理器システムおよびそれを用いた調理加熱装置を提供することを目的とする。
【課題を解決するための手段】
【００１３】
前記従来の課題を解決するために、本発明のネットワーク調理システムは、通信ネットワークを介して情報を送受信する情報管理装置と、家庭内で、データを送受信するホームネットワーク端末と、無線通信にてホームネットワーク端末から情報を送受信する加熱調理器を備えている。
【００１４】
ホームネットワーク端末は情報管理装置と通信ネットワークを介して通信するためのネットワーク通信手段と、調理の情報などを表示する端末側表示手段と、加熱調理器と情報を送受信する端末側無線通信手段を有している。
【００１５】
加熱調理器は、ホームネットワーク端末と無線通信にて情報を送受信するための機器側無線通信手段と、無線通信で供給された調理情報などを表示する機器側表示手段と、加熱動作開始が可能な状態かを判断する安全回路制御手段とを備えている。
【００１６】
これによって、情報管理装置から通信ネットワークを介して供給される調理情報をホームネットワーク端末上で閲覧でき、必要に応じて無線通信で加熱調理器に調理情報を転送できるため、加熱調理器側には調理をおこなうための最低限の表示機能を有するだけでよい。また、転送するデータは１００バイトもあれば十分なため、従来の構成のまま使用することが可能になる。さらに同時に、安全回路制御手段によって無線通信によって転送されたデータによる誤動作を防止することが可能になる。
【発明の効果】
【００１７】
本発明のネットワーク調理システムおよびそれを用いた調理加熱装置は、調理レシピを閲覧しながら調理することが可能になり、操作性の向上を図ることができる。
【００１８】
また、安全制御回路によって誤動作を防止する機能を付加することにより、安全な加熱調理器を提供することが可能になる。
【発明を実施するための最良の形態】
【００１９】
第１の発明は、通信ネットワークを介して情報を送受信する情報管理装置と、家庭内でデータを送受信するホームネットワーク端末と、無線通信にてホームネットワーク端末から情報を送受信する加熱調理器とを備え、ホームネットワーク端末は、情報管理装置と通信ネットワークを介して通信するためのネットワーク通信手段と、調理の情報などを表示する端末側表示手段と、加熱調理器と情報を送受信する端末側無線通信手段を有している。
【００２０】
加熱調理器は、ホームネットワーク端末と無線通信にて情報を送受信するための機器側無線通信手段と、無線通信で供給された調理データを表示する機器側表示手段と加熱動作開始が可能な状態かを判断する安全回路制御手段とを備えることにより、情報管理装置から通信ネットワークを介して供給される調理情報をホームネットワーク端末上で閲覧でき、必要に応じて無線通信で加熱調理器に調理情報を転送できると同時に、安全制御回路によって安全性の高い加熱調理器を供給することができる。
【００２１】
第２の発明は、特に、第１の発明のホームネットワーク端末にて、情報管理装置から通信ネットワークを介して供給される調理レシピを端末側表示手段に表示する際、調理レシピは、加熱調理器を制御する加熱条件（加熱モード、時間、温度等）からなる加熱制御情報と、材料、分量、手順、ワンポイントアドバイス等の非加熱制御情報から構成されている。
【００２２】
利用者が調理レシピの転送を選択した場合、無線通信にてホームネットワーク端末内の端末側無線通信手段から加熱制御情報を送信し、加熱調理器内の機器側無線通信手段は加熱制御情報を受信した際、加熱調理器で設定された加熱制御情報なのか無線通信で受信した加熱制御情報なのかを判別する加熱情報判定手段を有し、機器側表示手段に表示する機能を有することより、誤ったデータで調理される誤操作を防止することが可能になる。
【００２３】
第３の発明は、特に、第１の発明のホームネットワーク端末にて、利用者が調理レシピの転送を選択した場合、無線通信にてホームネットワーク端末内の端末側無線通信手段から加熱制御情報を送信し、加熱調理器内の機器側無線通信手段は加熱制御情報を受信した際、加熱調理器で設定された加熱制御情報なのか無線通信で受信した加熱制御情報なのかを判別する加熱情報判定手段を有し、機器側報知手段にて報知する機能を有することにより、誤ったデータで調理される誤操作を防止することが可能になる。
【００２４】
第４の発明は、特に、第１または第２の発明のホームネットワーク端末は、調理レシピの加熱制御情報を無線通信にて加熱調理器へ送信し、無線通信で受信した加熱制御情報であることを機器側表示手段に表示する際、加熱動作開始が可能な状態かを判断する安全回路制御手段によって判断された状態によって、機器側表示手段の表示内容を変更する機能を有することにより、安全制御回路の解除が必要であることを認識することができ、安全性が高く、操作性を向上させることができる。
【００２５】
第５の発明は、特に、第１または第２の発明のホームネットワーク端末は、調理レシピの加熱制御情報を無線通信にて加熱調理器へ送信し、無線通信で受信した加熱制御情報であることを機器側表示手段に表示する際、加熱動作開始が可能な状態かを判断する安全回路制御手段によって判断された状態によって、機器側報知手段の報知内容を変更する機能を有することにより、安全制御回路の解除が必要であることを認識することができ、安全性が高く、操作性を向上させることができる。
【００２６】
第６の発明は、特に、第１から第５の発明のネットワーク調理システムを用いた調理加熱装置を提供することにより、各種の加熱調理器を複数用意することで、調理レシピの幅を広げ、安全性も高く操作性の向上を図ることができる。
【００２７】
以下本発明の実施の形態について、図面を参照しながら説明する。なお、この実施の形態によって本発明が限定されるものではない。
【００２８】
（実施の形態１）
図１は、本発明の第１の実施の形態におけるネットワーク調理システムの詳細ブロック図を示すものである。
【００２９】
図２に、ネットワーク調理システムの概略構成図を示す。
【００３０】
図３に、ネットワーク調理システムの表示処理のフローチャートを示す。
【００３１】
図１において、ネットワーク調理システムは、一般にサーバと呼ばれ、複数の調理レシピなどのデータを格納している情報管理装置１と、通信ネットワーク２によって接続される家庭内に設置されたホームネットワーク端末３と、ホームネットワーク端末３と無線通信４によって接続される加熱調理器５で構成されている。
【００３２】
以上のように構成されたネットワーク調理システムについて、図１、図２および図３を用いて以下にその動作、作用を説明する。
【００３３】
まず、ホームネットワーク端末３の端末側表示部６はタッチパネルで構成され、利用者は、調理の種類、素材などから調理レシピを選択すると、ホームネットワーク端末３内のネットワーク通信手段７により、通信ネットワーク２を介して情報管理装置１から調理レシピをダウンロードし、端末側表示手段７により、端末側表示部６に表示される。
【００３４】
利用者は、端末側表示部６に表示される調理のできあがり写真や、所要時間などの概要、材料等を見ることで、その調理が気に入らなければ、再度選びなおせばよい。気に入れば、続けて、作り方を見ることができる。調理のレシピは通常、下ごしらえから焼き上げなど、複数の調理で構成されており、順に作り方を閲覧しながら、調理を完成させる。
【００３５】
そのため、加熱調理器５は、電子レンジや、IHクッキングヒーター、メニューによっては炊飯器など、複数の調理器が考えられ、一つの調理器に調理レシピ全てを送信しても使わない調理もあり、不要なデータになってしまう。
【００３６】
利用者は、端末側表示部６に表示される調理レシピを順に確認しながら準備していき、調理の転送可能画面になると、必要に応じて加熱調理器への転送ボタンを押すことにより、端末側無線通信手段９から、加熱調理器５内の機器側無線通信手段１０へ無線通信４により調理情報が転送され、機器側表示手段１１により、機器側表示部１２に表示される。
【００３７】
このときの表示処理について図３も用いて説明すると、ステップＳ１で無線通信によって送信されたデータか、加熱調理器５で設定されたデータかを加熱情報判定手段１３で判断し、無線通信によって転送されたデータであれば、ステップＳ２に移行し、安全回路制御手段１４により、加熱動作開始が可能な状態かを判断し、動作可能な状態であれば、ステップＳ３に移行し、機器側表示手段１１により、機器側表示部１２に「ネット」の点灯表示を行い、ステップＳ４に移行して、加熱情報表示を行う。
【００３８】
ステップＳ２で、動作可能な状態でないと判断されれば、ステップＳ５に移行し、「ネット」の点滅表示を行い、動作可能な状態になるよう促がしている。
【００３９】
また、ステップＳ１で、加熱調理器５で設定されたデータの場合は、ステップＳ６に移行し、安全回路制御手段１４により、加熱動作開始が可能な状態かを判断し、動作可能な状態であれば、ステップＳ７に移行し、加熱情報表示を行う。ステップＳ６で、動作可能な上体でない場合は、何も表示させないことにより区別している。これらにより誤操作を防止することができる。なお、表示内容はこれに限らず、わかりやすい表示であれば何でも良い。また、制御の順番もこの方式にとらわれることなく、最終表示が区別できるように構成すれば問題ない。
【００４０】
続いて、動作可能になれば、機器側操作部１５内の調理スタートキーを押すことで、調理を開始することができる。
【００４１】
この時に、機器側表示部１２は、調理の加熱情報が設定された状態を表示できれば十分なため、従来同様の簡単な表示部で構成できるため、特別に調理レシピを見るためのドットタイプやカラータイプの表示部を用いなくてもよく、安価な構成で作成できる。
【００４２】
以上のように本実施の形態においては、ホームネットワーク端末３内の端末側表示手段８を用いて、調理レシピを閲覧し、必要に応じて端末側無線通信手段９を用いて調理データを転送し、加熱調理器５は、機器側無線通信手段１０が調理情報を受信すると、加熱情報判定手段１３と安全回路制御手段１４により、機器側表示手段１１を用いて機器側表示部１２に表示する内容を変えることにより、わかりやすく状態分けを行うことで、操作性の向上につながる。
【００４３】
なお、加熱情報判定手段１３がなくても、安全回路制御手段１４によって、安全性の確保はできる。
【００４４】
また、本実施の形態では、安全回路制御手段１４として、ドアの開閉状態を判断している。ドア開閉後一定時間経過すれば、安全のため、再度ドア開閉をしなければ、動作可能な状態にならないようにしている。しかしながら、この構成だけでなく、キー操作をロックして解除されなければ動作させないとか、ハード的に安全回路を設けるなど、各種の方法があるが、動作可能な状態か否かの判断ができればこの限りではない。
【００４５】
（実施の形態２）
図４は、本発明の第２の実施の形態におけるネットワーク調理システムのホームネットワーク端末３内の端末側表示部６に表示される画面遷移図を示すものである。
【００４６】
図４において、ホームネットワーク端末３の端末側表示部６はタッチパネル構成になっており、新しいレシピを選択すると、図Ｆ１の表示になる。ここで、例えば「素材から探す」にタッチすると、図Ｆ２の画面に遷移する。さらに、「葉菜」「キャベツ」と選んでいくと、図Ｆ３、図Ｆ４と遷移する。ここで、メニューを選ぶことができ、「キャベツのしらすあえ」をタッチすると、図Ｆ５に遷移し、調理の出来上がり画像が表示される。
【００４７】
ここで、さらに「概要」を押すことにより図Ｆ６に遷移し、所要時間やカロリーなどを表示し、分量も変更できるようになっている。続いて「材料」にタッチすれば、図Ｆ７の材料画面に遷移し、「調理・閲覧」にタッチすると、図Ｆ８に遷移し作り方を見ることができる。調理レシピを閲覧していくと、図Ｆ９のようにレシピが表示され、続けてみることができる。次に調理がある場合は、図Ｆ１０の画面になり、「レンジにデータを転送」をタッチすると、加熱調理器である電子レンジにデータが転送される。
【００４８】
この時に、加熱調理器と離れていて、転送後調理器の所に行った時に、前記表示手段により、現在の状態表示によって次の操作の判断ができ、操作性の向上につながる。
さらに、図Ｆ１０で調理を転送すると、自動的に図Ｆ１１の画面に遷移する構成になっている。
【産業上の利用可能性】
【００４９】
以上のように、本発明にかかるネットワーク調理システムおよびそれを用いた調理加熱装置は、操作性の向上を図ることができ、また、機器側無線通信手段を搭載するのみの安価な構成で加熱調理器を生産することが可能になるため、調理を行うすべての調理器等の用途にも適用できる。
【図面の簡単な説明】
【００５０】
【図１】本発明の実施の形態１におけるネットワーク調理システムの詳細ブロック図
【図２】本発明の実施の形態１におけるネットワーク調理システムの概略構成図
【図３】本発明の実施の形態１におけるネットワーク調理システムの表示手段のフローチャート
【図４】本発明の実施の形態１、２におけるネットワーク調理システムのホームネットワーク端末に表示される画面遷移図
【符号の説明】
【００５１】
１  情報管理装置
２  通信ネットワーク
３  ホームネットワーク端末
４  無線通信
５  加熱調理器
７  ネットワーク通信手段
８  端末側表示手段
９  端末側無線通信手段
１０  機器側無線通信手段
１１  機器側表示手段
１３  加熱情報判定手段
１４  安全回路制御手段
【図１】
2005037068.tif 000003
【図３】
2005037068.tif 000004
【図２】
2005037068.tif 000005
【図４】
2005037068.tif 000006